(57)【要約】      （修正有）【課題】発射された弾丸を回収のため停止させる停弾部材の周囲における跳弾を防止する跳弾防止機構を提供する。【解決手段】跳弾防止機構１４において、第１跳弾防止ユニット４０、第２跳弾防止ユニット４２、および第３跳弾防止ユニット４４は、発射された弾丸を停止させてその下方に落下させる停弾部材の周辺に配置され、発射された弾丸が当たることで弾丸を停止または減速させる。第１跳弾防止ユニット４０、第２跳弾防止ユニット４２、および第３跳弾防止ユニット４４は、弾丸の発射想定位置Ｐ側から、緩衝層、枕木、低反発ゴムプレート、ゴムチップ層、取り付けプレート、枕木、防弾プレート、をこの順に含む。第１跳弾防止ユニット４０、第２跳弾防止ユニット４２、および第３跳弾防止ユニット４４は、弾丸の発射想定位置Ｐから見て停弾シート群２５より外側の領域を覆うように配置される。【選択図】図１
0003195331.tif 000002
【実用新案登録請求の範囲】
【請求項１】
発射された弾丸を停止させてその下方に落下させる停弾部材の周辺に配置され、発射された弾丸が当たることで弾丸を停止または減速させる跳弾防止部材を備え、
前記跳弾防止部材は、
（ａ）弾丸の発射想定位置側から、発泡ポリスチレンにより形成される緩衝層、ゴム部材、金属製プレート、をこの順に含み、前記緩衝層と前記ゴム部材との間には前記緩衝層に隣接する空隙が、前記ゴム部材と前記金属製プレートとの間には前記金属製プレートに隣接する空隙が、それぞれ形成され、
（ｂ）前記発射想定位置から見て前記停弾部材より外側の領域の少なくとも一部を覆うように配置されることを特徴とする跳弾防止機構。
【請求項２】
前記ゴム部材は、弾丸の発射想定位置側から低反発ゴムプレートとゴムチップ層とを積層して形成されていることを特徴とする請求項１に記載の跳弾防止機構。
【請求項３】
前記ゴムチップ層は前記低反発ゴムプレートより厚く、取り付け用のプレートに取り付けられていることを特徴とする請求項２に記載の跳弾防止機構。
【請求項４】
前記停弾部材は、前記停弾部材の上方に配置された支持部材から吊り下がるよう設けられ、
前記跳弾防止部材は、前記発射想定位置から見て前記支持部材を覆うように配置されることを特徴とする請求項１から３のいずれかに記載の跳弾防止機構。
【考案の詳細な説明】
【技術分野】
【０００１】
この考案は、跳弾防止機構に関し、特に、発射された弾丸を回収のため停止させる停弾部材とともに使用される跳弾防止機構に関する。
【背景技術】
【０００２】
実弾射撃訓練において使用される、跳弾を回避するための停弾装置が知られている。ここで、合成樹脂またはゴムを含む可撓性シートである停弾部材の複数枚を射撃場の標的周辺部に支持手段を介してそれぞれ独立に支持される停弾部材からなる跳弾防止装置が知られている（例えば、特許文献１参照）。このような跳弾装置では、停弾部材に弾丸が当たることで弾丸を停止させ、その鉛直下方に弾丸を落下させることができる。このため、例えば停弾部材の下方に弾丸の回収機構を設けておくことにより、発射された弾丸を容易に回収することが可能となる。
【先行技術文献】
【特許文献】
【０００３】
【特許文献１】特開２００７−２４４７３号公報
【考案の概要】
【考案が解決しようとする課題】
【０００４】
このように弾丸を回収するために弾丸を停止且つ落下させる停弾部材などを用いる場合、可撓性シートの上端を支持する支持部材などを停弾部材の上方に設ける必要が生じ得る。また、落下した弾丸を回収するために停弾部材の下方に回収スペースを設ける必要も生じ得る。このため、この部分に回収シートを隙間無く配置することは困難である。しかしながら、発射された弾丸の中には、停弾部材が存在する範囲から外れて飛来するものもあり得る。このような弾丸は、停弾部材の周囲に設けられた支持部材に当たる、または停弾部材の周囲の隙間を通って後方の壁に当たるなどして跳ね返る可能性がある。さらに、停弾装置に到達する前に床や天井、側壁などに弾丸が当たると、横転弾となりやすい。このような横転弾が停弾部材が存在する範囲から外れて飛来すると、弾丸が発跳ね返る可能性はさらに高くなる。このため、停弾部材の周囲に隙間や支持部材が存在することによる跳弾の発生を抑制する新たな技術の開発が求められている。
【０００５】
本考案はこうした課題に鑑みてなされたものであり、その目的は、発射された弾丸を回収のため停止させる停弾部材の周囲における跳弾を防止する跳弾防止機構を提供することにある。
【課題を解決するための手段】
【０００６】
上記課題を解決するために、本考案のある態様の跳弾防止機構は、発射された弾丸を停止させてその下方に落下させる停弾部材の周辺に配置され、発射された弾丸が当たることで弾丸を停止または減速させる跳弾防止部材を備える。跳弾防止部材は、（ａ）弾丸の発射想定位置側から、発泡ポリスチレンにより形成される緩衝層、ゴム部材、金属製プレート、をこの順に含み、緩衝層とゴム部材との間には緩衝層に隣接する空隙が、ゴム部材と金属製プレートとの間には金属製プレートに隣接する空隙か、それぞれ形成され、（ｂ）発射想定位置から見て停弾部材より外側の領域の少なくとも一部を覆うように配置される。
【考案の効果】
【０００７】
本考案によれば、発射された弾丸を回収のため停止させる停弾部材の周囲における跳弾を防止する跳弾防止機構を提供することができる。
【図面の簡単な説明】
【０００８】
【図１】（ａ）は、第１の実施形態に係る停弾装置の正面図であり、（ｂ）は、第１の実施形態に係る停弾装置の上面図であり、（ｃ）は、第１の実施形態に係る停弾装置の右側面図である。
【図２】（ａ）は、第１の実施形態に係る第１跳弾防止ユニットの断片の斜視図であり、（ｂ）は、第１の実施形態に係る第１跳弾防止ユニットの断面図である。
【図３】（ａ）は、第２の実施形態に係る第１跳弾防止ユニットおよび第２跳弾防止ユニットの断片の斜視図であり、（ｂ）は、第２の実施形態に係る第１跳弾防止ユニットおよび第２跳弾防止ユニットの断面図である。
【図４】第３の実施形態に係る停弾装置の右側面図である。
【考案を実施するための形態】
【０００９】
以下、図面を参照して本考案の実施の形態（以下、実施形態という）について詳細に説明する。
【００１０】
（第１の実施形態）
図１（ａ）は、第１の実施形態に係る停弾装置１０の正面図であり、図１（ｂ）は、第１の実施形態に係る停弾装置１０の上面図であり、図１（ｃ）は、第１の実施形態に係る停弾装置１０の右側面図である。図１（ｃ）に示すように、右側面図において停弾装置１０の左側に発射想定位置Ｐが存在する。したがって、図１（ａ）に示す正面図は、発射想定位置Ｐが見た停弾装置１０を示している。以下、停弾装置１０から発射想定位置Ｐに向かう方向を前方向、発射想定位置Ｐから停弾装置１０に向かう方向を後方向とする。また、「右」、「左」とは、発射想定位置Ｐから停弾装置１０を見たとき、すなわち図１（ａ）における右および左をいう。
【００１１】
停弾装置１０は、停弾機構１２および跳弾防止機構１４を有する。停弾機構１２は、ベース部材１８、バックプレート２０、支持機構２２、回収機構２４、跳弾防止シート３０、および停弾シート群２５を有する。バックプレート２０は、ベース部材１８によって支持され、表面が前後方向に垂直となるよう鉛直に立てて配置される。バックプレート２０は、着弾してもほとんど損傷がない、または小さな損傷しか残らないよう硬度の高い特殊鋼板によって形成される。
【００１２】
なお、長期の使用による停弾シート群２５の劣化を考慮して、バックプレート２０を削除してもよい。この場合、当たった弾丸を下方に跳ね返すよう傾斜するプレートをバックプレート２０に代えて配置してもよい。この場合、傾斜するプレートは何層も重ねて配置してもよい。
【００１３】
バックプレート２０の上端には、支持機構２２が固定されている。支持機構２２は、停弾シート群２５が支持機構２２から吊り下がるよう、停弾シート群２５の上端を支持する。具体的には、停弾シート群２５は、それぞれ停弾部材として機能する複数の第１停弾シート２６および複数の第２停弾シート２８を含む。第１停弾シート２６および第２停弾シート２８は、双方ともゴム系材料により、細長い短冊状に形成されている。第２停弾シート２８は、第１停弾シート２６よりも鉛直方向に長く、幅方向に短く形成されている。
【００１４】
複数の第１停弾シート２６および複数の第２停弾シート２８は、上端が支持機構２２に固定されることで、支持機構２２から吊り下げられている。複数の第１停弾シート２６は、複数枚が前後方向に重ねられたシート群が前後方向に対し表面が直交するよう配置され、このシート群が前後方向に同じ位置となるよう左右方向に複数束が並べて配置される。第１の実施形態では、第１停弾シート２６のシート群は４束が左右方向に並設される。
【００１５】
第２停弾シート２８は、第１停弾シート２６の後方に配置される。複数の第２停弾シート２８は、複数枚が前後方向に重ねられたシート群が前後方向に対し表面が直交するよう配置され、このシート群が前後方向に同じ位置となるよう左右方向に複数束が並べて配置される。第１の実施形態では、第２停弾シート２８のシート群は１２束が左右方向い並設される。第２停弾シート２８は、左右方向の隙間がほとんどないように、１２束のシート群が互いに近接して並設される。第１停弾シート２６は、左右方向の隙間が少し設けられて４束のシート群が並設される。
【００１６】
第１停弾シート２６の前方の数枚には円形の停弾ゴム３２が取り付けられている。発射想定位置Ｐと停弾装置１０との間には、弾丸が貫通するよう設けられた標的が配置されている。射撃訓練を行う者はこの標的を狙って射撃するため、この標的の後方は特に弾丸が多く当り、消耗も激しい。このため停弾ゴム３２は、標的の後方となる位置に配置される。これにより、着弾によって第１停弾シート２６が消耗した場合、このゴムパッドを交換することで第１停弾シート２６全体の交換頻度を低減させることができる。
【００１７】
このように、停弾シート群２５は、前後方向に複数のゴムシートが近接して重なり合っているため、発射された弾丸は前方の数枚のゴムシートを貫通したとしても、第２停弾シート２８の最後方のシートまで貫通することは困難となっている。こうして停弾シート群２５は、発射された弾丸を停止させてその下方に落下させる。なお、第２停弾シート２８の最後方のシートも貫通した弾丸も、バックプレート２０を貫通することできず、バックプレート２０に当たって跳ね返り、第２停弾シート２８に再び当たってやはり鉛直下方に落下する。
【００１８】
停弾シート群２５の前方には、跳弾防止シート３０が設けられる。跳弾防止シート３０は、第２停弾シート２８と略同一幅の細長い短冊状に形成されている。跳弾防止シート３０もまた、上端が支持機構２２に固定されることで支持機構２２から吊り下げられている。跳弾防止シート３０は、前後方向に重ねられず単数シートのみで前後方向に対し表面が直交するよう、複数枚が左右方向に並べて配置される。第１の実施形態では、跳弾防止シート３０は左右方向に１２枚並べて配置される。このように跳弾防止シート３０を設けることで、停弾シート群２５に当たった弾丸が前方に跳ね返ってきた場合においても、跳弾防止シート３０の裏面で再び後方に跳ね返すことができ、弾丸の前方への跳弾を抑制することができる。
【００１９】
回収機構２４は、停弾シート群２５の鉛直下方に設けられる。回収機構２４は、停弾シート群２５によって停止され落下した弾丸を回収する。回収機構２４は、傾斜部３４を有する。傾斜部３４は、発射想定位置Ｐから遠ざかるにしたがって下降するよう傾斜している。この傾斜により、回収機構２４に落下した弾丸は、停弾装置１０の後方に案内される。回収機構２４の構成は公知であるため更なる詳細な説明は省略する。
【００２０】
このように、停弾シート群２５に当たった弾丸は、その下方に落下し、回収機構２４において回収することができる。一方、このように停弾シート群２５を吊り下げる停弾機構１２では、停弾シート群２５の上方に停弾シート群２５を支持するための支持機構２２を設ける必要がある。
【００２１】
上述のように発射想定位置Ｐと停弾装置１０との間には標的が設けられており、射撃訓練を行う者はこの標的を狙って射撃するため、停弾装置１０の中央、すなわち停弾シート群２５が設けられた範囲に多くの弾丸が飛来する。しかしながら、弾丸の中には停弾シート群２５が設けられた範囲から外れ、停弾シート群２５より上方や下方、側方など、停弾シート群２５の周囲に弾丸が発射されることがある。
【００２２】
停弾シート群２５の上方には支持機構２２があり、停弾シート群２５の下端から下方においても床面と間隔が設けられている。さらに、第１の実施形態では、停弾シート群２５の側方も壁面との間に空間が設けられている。このため発射想定位置Ｐから見て停弾シート群２５の外側に弾丸が向かった場合は、支持機構２２に当たるなどして、弾丸が前方に跳ね返る可能性がある。また、停弾シート群２５よりも下方や側方に弾丸が向かった場合は、停弾シート群２５によって充分に減速されることなくバックプレート２０などに当り、やはり前方に跳ね返る可能性がある。このような跳弾の発生を抑制するため、例えば停弾シート群２５を部屋の天井から床面にわたって、且つ左右の壁面にわたって広い範囲で設けようとすると、停弾シート群２５が非常に大きなものとなり、コスト低減や交換などのメンテナンスが困難となる。
【００２３】
このため、第１の実施形態では、跳弾防止部材によって構成される跳弾防止機構１４が設けられている。跳弾防止機構１４は、発射された弾丸が当たることで弾丸を停止または減速させることで跳弾の発生を抑制する。第１の実施形態では、跳弾防止機構１４は、発射想定位置Ｐから見て停弾シート群２５より外側の領域のすべてを覆うように配置される。なお、跳弾防止機構１４は、例えば停弾シート群２５よりも上方の領域のみ、または停弾シート群２５よりも下方の領域のみなど、発射想定位置Ｐから見て停弾シート群２５より外側の領域の一部を覆うよう配置されていてもよい。
【００２４】
跳弾防止機構１４は、それぞれ跳弾防止部材として機能する第１跳弾防止ユニット４０、第２跳弾防止ユニット４２、および第３跳弾防止ユニット４４を有する。第１跳弾防止ユニット４０、第２跳弾防止ユニット４２、および第３跳弾防止ユニット４４は、各々が、発射された弾丸が当たることで弾丸を停止または減速させる跳弾抑制機能を有している。
【００２５】
第１跳弾防止ユニット４０は、発射想定位置Ｐから見て支持部材４８を覆うように配置される。具体的には、第１跳弾防止ユニット４０は、発射想定位置Ｐから見た支持部材４８の全域を覆うことができる大きさを有し、支持部材４８の全面に固定されることで支持部材４８の全域を覆う。これにより、支持部材４８に当たって発射想定位置Ｐの方向に戻る跳弾の発生を抑制することができる。
【００２６】
図２（ａ）は、第１の実施形態に係る第１跳弾防止ユニット４０の断片の斜視図であり、図２（ｂ）は、第１の実施形態に係る第１跳弾防止ユニット４０の断面図である。第１跳弾防止ユニット４０は、防弾プレート６０、枕木６２、取り付けプレート６４、ゴムチップ層６６、低反発ゴムプレート６８、枕木７０、および緩衝層７２を有する。
【００２７】
防弾プレート６０は、弾丸が最終的に第１跳弾防止ユニット４０を貫通することを回避するため、鉄などの金属によって形成されている。取り付けプレート６４は、枕木６２を介して防弾プレート６０の前面に固定される。取り付けプレート６４は、ゴムチップ層６６を取り付けるためのプレートであり、樹脂または木材によって形成されている。なお、取り付けプレート６４は、金属によって形成されてもよい。
【００２８】
ゴムチップ層６６は、第１停弾シート２６および第２停弾シート２８と同様のゴム系材料を多数のチップ状にしたものをバインダで固めて形成されている。このように第１停弾シート２６および第２停弾シート２８と同様の材質のゴムチップを用いることで、弾丸を適切に減速または停止させることができる。なお、ゴムチップ層６６は、第１停弾シート２６および第２停弾シート２８とは異なる材質のゴムで形成されていてもよい。
【００２９】
ゴムチップ層６６の製造方法について説明する。まずゴムチップをミキサに投入し攪拌機で回転させながらバインダを投入し、バインダがゴムチップに均一に絡むまで攪拌する。その後、ゴムチップとバインダの混合材料を金型に移し、コテにて均一に敷きつめる。次に、１６０℃で２０分維持する加硫処理を施し、終了後型から材料を取り外す。こうしてゴムチップ層６６が形成される。
【００３０】
ゴムチップ層６６の前面には、低反発ゴムプレート６８が固着される。低反発ゴムプレート６８は、弾丸を主に減速させつつ前方への跳ね返りを抑制する。低反発ゴムプレート６８の前面には、枕木７０を介して緩衝層７２が固定される。
【００３１】
緩衝層７２は、難燃性樹脂により形成されている。具体的には、緩衝層７２は、発泡ポリスチレンにより形成されている。緩衝層７２には、押出成形による押出発泡ポリスチレンが採用されている。なお、緩衝層７２に押出成形以外の成型方法による発砲ポリスチレンが採用されてもよく、また、発砲ポリスチレン以外の他の難燃性樹脂が採用されてもよい。このように第１跳弾防止ユニット４０の表面を構成する緩衝層７２を難燃性材料によって形成することで、火災の発生を抑制することができる。また、緩衝層７２に発泡ポリスチレンを採用することで、高い跳弾防止性能が得られることが考案者による実験で確認されている。
【００３２】
図１（ａ）〜図１（ｃ）に戻る。第２跳弾防止ユニット４２は、発射想定位置Ｐから見て停弾シート群２５の側端部から外側の領域を覆うよう、停弾シート群２５より前方に配置されている。具体的には、第２跳弾防止ユニット４２は、停弾シート群２５の側端部と壁面との間の領域のうち、床面から第１跳弾防止ユニット４０下端部までの間の全領域を覆うように、停弾シート群２５の左右の側端部の各々に対応して設けられる。これにより、停弾シート群２５の側端部と壁面との間に弾丸が進入することで弾丸が充分に減速されずに跳ね返る事態を回避できる。第２跳弾防止ユニット４２の構成は、図２（ａ）および図２（ｂ）に示す第１跳弾防止ユニット４０の構成と同様であるため説明を省略する。なお、第２跳弾防止ユニット４２の構成が第１跳弾防止ユニット４０の構成と異なっていてもよい。
【００３３】
第３跳弾防止ユニット４４は、発射想定位置Ｐから見て停弾シート群２５より下方を覆うように配置される。具体的には、第３跳弾防止ユニット４４は、停弾シート群２５の下端部と床面との間の領域のうち、左右の第２跳弾防止ユニット４２の間の全領域を覆うよう、床面上に載置される。
【００３４】
第３跳弾防止ユニット４４は、弾丸を内部に進入させて停弾させるよう設けられているが、中には第３跳弾防止ユニット４４の表面で外部に跳ね返される弾丸もあると考えられる。このため第３跳弾防止ユニット４４は、第３跳弾防止ユニット４４で跳ね返った弾丸が停弾シート群２５に向かって進み、停弾シート群２５に当たるよう、傾斜して配置されている。具体的には、第３跳弾防止ユニット４４は、下面が三角形の支持部材４８に固定されており、支持部材４８が床面に載置されることで、後方に進むほど停弾シート群２５の中央に近づくよう第３跳弾防止ユニット４４が傾斜して配置される。このように第３跳弾防止ユニット４４を傾斜して配置することで、第３跳弾防止ユニット４４で跳ね返った弾丸が第３跳弾防止ユニット４４より前方に戻ることを回避できる。また、第３跳弾防止ユニット４４で跳ね返った弾丸を停弾シート群２５に向けて進行させることができ、その後適切に回収することが可能となる。
【００３５】
なお、第１跳弾防止ユニット４０が、第１跳弾防止ユニット４０で跳ね返った弾丸が停弾シート群２５に向かって進んで停弾シート群２５に当たるように、後方に進むほど停弾シート群２５の中央に近づくよう傾斜して配置されていてもよい。また、第２跳弾防止ユニット４２が、第２跳弾防止ユニット４２で跳ね返った弾丸が停弾シート群２５に向かって進んで停弾シート群２５に当たるように、後方に進むほど停弾シート群２５の中央に近づくよう傾斜して配置されていてもよい。
【００３６】
第３跳弾防止ユニット４４は、第１跳弾防止ユニット４０および第２跳弾防止ユニット４２の緩衝層７２と同様の材質によって形成されている。なお、第３跳弾防止ユニット４４が他の材質によって形成されていてもよい。
【００３７】
こうして跳弾防止機構１４は、射撃訓練において弾丸が飛来すると想定される想定飛来範Ｑを囲うように、停弾シート群２５の周辺に配置される。これにより、想定飛来範囲Ｑを超えて飛来した弾丸が前方に跳ね返る跳弾の発生を抑制することができる。このため、停弾シート群２５の大きさを想定飛来範囲Ｑとそれほど変わらない大きさに抑えつつ、停弾シート群２５の周囲に進入して前方に跳ね返る跳弾の発生を抑制することができる。
【００３８】
（第２の実施形態）
図３（ａ）は、第２の実施形態に係る第１跳弾防止ユニット４０および第２跳弾防止ユニット４２の断片の斜視図であり、図３（ｂ）は、第２の実施形態に係る第１跳弾防止ユニット４０および第２跳弾防止ユニット４２の断面図である。なお、特に言及しない限り、第２の実施形態に係る停弾装置の構成は第１の実施形態に係る停弾装置１０と同様である。
【００３９】
第２の実施形態に係る第１跳弾防止ユニット４０は、第１の実施形態に係る第１跳弾防止ユニット４０から枕木７０および緩衝層７２を削除して構成される。このように押出発砲ポリスチレンによる緩衝層７２が削除された場合においても、低反発ゴムプレート６８とゴムチップ層６６とにより、弾丸を適切に減速または停止させることができ、跳弾の発生を抑制することができる。
【００４０】
（第３の実施形態）
図４は、第３の実施形態に係る停弾装置１００の右側面図である。停弾装置１００は、回収機構２４に代えて回収ユニット１０２が設けられた以外は、第１の実施形態に係る停弾装置１０と同様に構成される。
【００４１】
回収ユニット１０２は、回収機構１０４、前方傾斜部１０６、および後方傾斜部１０８を有する。回収機構１０４は、上方から落下した弾丸を回収する。回収機構１０４の上面は水平となっているが、弾丸を回収するための孔が設けられており、この孔から内部に進入した弾丸を保持する。
【００４２】
前方傾斜部１０６は、回収機構１０４よりも前方、すなわち発射想定位置Ｐに近い位置に配置されている。前方傾斜部１０６は、発射想定位置Ｐから遠ざかるにしたがって下降するよう傾斜する。前方傾斜部１０６上に落下した弾丸は、この傾斜によって回収機構１０４に案内される。後方傾斜部１０８は、発射想定位置Ｐに近づくにしたがって下降するよう傾斜する。後方傾斜部１０８上に落下した弾丸もまた、この傾斜によって回収機構１０４に案内される。このように上面が水平な回収機構１０４によっても、適切に弾丸を回収できる。
【００４３】
本考案は上述の各実施形態に限定されるものではなく、各実施形態の各要素を適宜組み合わせたものも、本考案の実施形態として有効である。また、当業者の知識に基づいて各種の設計変更等の変形を各実施形態に対して加えることも可能であり、そのような変形が加えられた実施形態も本考案の範囲に含まれうる。
【符号の説明】
【００４４】
１０  停弾装置、  １２  停弾機構、  １４  跳弾防止機構、  ２０  バックプレート、  ２２  支持機構、  ２４  回収機構、  ２５  停弾シート群、  ２６  第１停弾シート、  ２８  第２停弾シート、  ３０  跳弾防止シート、  ３２  停弾ゴム、  ４０  第１跳弾防止ユニット、  ４２  第２跳弾防止ユニット、  ４４  第３跳弾防止ユニット、  ４６  緩衝層、  ４８  支持部材、  ６０  防弾プレート、  ６２  枕木、  ６４  取り付けプレート、  ６６  ゴムチップ層、  ６８  低反発ゴムプレート、  ７０  枕木、  ７２  緩衝層。
【図１】
0003195331.tif 000003
【図２】
0003195331.tif 000004
【図３】
0003195331.tif 000005
【図４】
0003195331.tif 000006